(57)【要約】【課題】発電所情報の特性に応じて、発電所情報の送信頻度を減らし、この発電所情報を受信する給電システムの情報受信処理の頻度を低減することができるオンライン情報伝送装置を得る。【解決手段】発電所１及び給電システム４間の情報の送受信を行うオンライン情報伝送装置３を、発電所１と通信する発電所向け通信インタフェース部１１と、給電システム４と通信する給電システム向け通信インタフェース部１４と、発電所１からの上り情報の変化を検出する上り情報処理部１２と、発電所に下り情報を送信する下り情報処理部１３とにより構成し、上り情報の内の数値情報は、上り情報処理部１２によって上り情報の変化が検出されてから規定時間後に給電システム４に送信されるようにした。【選択図】        図３
2004164444.tif 000002
【特許請求の範囲】
【請求項１】
発電所が接続されたネットワークを介して、上記発電所及び給電システム間の情報の送受信を行うよう配置されたオンライン情報伝送装置において、上記発電所と通信するよう構成された発電所向け通信インタフェース部、上記給電システムと通信するよう構成された給電システム向け通信インタフェース部、及び上記発電所向け通信インタフェース部により上記発電所から受信された上り情報の変化を検出する上り情報処理部を備え、上記上り情報は、上記発電所の設備スイッチの入り切り状態を示す２値情報及び上記発電所の発電機の出力量を含む数値情報を有し、上記２値情報は、上記上り情報処理部により変化が検出されたとき、上記給電システム向け通信インタフェース部から上記給電システムに送信されると共に、上記数値情報は、上記上り情報処理部によって変化が検出されてから規定時間経過後に、上記給電システム向け通信インタフェース部から上記給電システムに送信されることを特徴とするオンライン情報伝送装置。
【請求項２】
発電所が接続されたネットワークを介して、上記発電所及び給電システム間の情報の送受信を行うよう配置されたオンライン情報伝送装置において、上記発電所と通信するよう構成された発電所向け通信インタフェース部、上記給電システムと通信するよう構成された給電システム向け通信インタフェース部、及び上記発電所向け通信インタフェース部により上記発電所から受信された上り情報の変化を検出する上り情報処理部を備え、上記上り情報は、上記発電所の設備の入り切り状態を示す２値情報及び上記発電所の発電機の出力量を含む数値情報を有し、上記２値情報は、上記上り情報処理部により変化が検出されたとき、上記給電システム向け通信インタフェース部から上記給電システムに送信されると共に、上記数値情報は、上記上り情報処理部によって変化が検出されてから規定時間経過後または上記変化が検出された回数が規定回数に達したとき、上記給電システム向け通信インタフェース部から上記給電システムに送信されることを特徴とするオンライン情報伝送装置。
【発明の詳細な説明】
【０００１】
【発明の属する技術分野】
この発明は、発電所及び給電システム間の情報送受信を行うオンライン情報伝送装置に関するものである。
【０００２】
【従来の技術】
従来の発電所及び給電システム間の情報伝送は、ネットワークとオンライン情報伝送装置を介して行われ、給電システムは、オンライン情報伝送装置を介して発電所に下り指令値電文を定周期に送信することで、発電機出力量を変更し、発電所から、設備の入り切り状態を示す上り２値情報及び発電機出力量を示す数値情報の電文を定周期に受信することで、設備の入り切り状態、発電機出力量の変化を監視していた。
特許文献１には、制御用のデータであるサイクリックデータの変化を検出してサイクリックデータを制御するものが紹介されている。
【０００３】
【特許文献１】
特許第２８８８４０５号公報（第５〜６頁、図１）
【０００４】
【発明が解決しようとする課題】
給電システムは、発電所との情報送受信を１秒周期に行うことで、電力系統の状態の変化を素早く検出している。しかし、給電システムが管理する電力系統の拡大に伴い、発電所及び給電システム間で送受信する設備情報量が増加している。この設備情報量の増加により、給電システムの情報受信処理の頻度が高まり、給電システムの処理負荷が増大するという問題があった。
また、特許文献１は、サイクリックデータの処理データ量を低減するが、発電所と給電システム間の情報の特性に応じたきめこまかい制御を行うものではなかった。
【０００５】
この発明は、上記のような問題点を解決するためになされたものであり、発電所情報の特性に応じて、発電所情報の送信頻度を減らし、この発電所情報を受信する給電システムの情報受信処理の頻度を低減することができるオンライン情報伝送装置を得ることを目的にしている。
【０００６】
【課題を解決するための手段】
この発明に係わるオンライン情報伝送装置においては、発電所が接続されたネットワークを介して、発電所及び給電システム間の情報の送受信を行うよう配置されたオンライン情報伝送装置において、発電所と通信するよう構成された発電所向け通信インタフェース部、給電システムと通信するよう構成された給電システム向け通信インタフェース部、及び発電所向け通信インタフェース部により発電所から受信された上り情報の変化を検出する上り情報処理部を備え、上り情報は、発電所の設備スイッチの入り切り状態を示す２値情報及び発電所の発電機の出力量を含む数値情報を有し、２値情報は、上り情報処理部により変化が検出されたとき、給電システム向け通信インタフェース部から給電システムに送信されると共に、数値情報は、上り情報処理部によって変化が検出されてから規定時間経過後に、給電システム向け通信インタフェース部から給電システムに送信されるものである。
【０００７】
【発明の実施の形態】
実施の形態１．
以下、この発明の実施の形態１を図に基づいて説明する。
図１は、この発明の実施の形態１によるオンライン情報伝送装置を示すシステム構成図である。
図１において、発電所１が、ネットワーク２に接続され、同じくネットワーク２に接続されたオンライン情報伝送装置３を介して、給電システム４との間で情報を送受信する。オンライン情報伝送装置３は、発電所１と給電システム４間の情報の送受信を行うように構成されている。
【０００８】
図２は、この発明の実施の形態１による発電所及び給電システム間の電文構成の１例を示す図である。
図２において、発電所１から給電システム４に送信される上り電文は、１６桁によって構成され、発電所と給電システム間の試験用電文を判別するフラグ５と、設備の異常状態を示すフラグ６、７と、設備スイッチの入り切り状態を示す２値情報及び発電機出力量を含む数値情報である１３桁の２値情報・数値情報８とを有する。給電システム４から発電所１に送信される下り電文は、上り電文の２値情報・数値情報８に代えて、発電機出力量を指令する１３桁の指令値情報９を有する。
２値情報は、情報受信漏れが発生すると給電システムが設備スイッチの入り切り状態を把握できなくなるため、情報受信漏れが許されない性質を持つ。一方、数値情報は、情報受信漏れが発生しても後続の数値情報により、給電システムが発電機出力量などを把握できるため、一時的な情報受信漏れを割り切ることができる性質を持つ。
【０００９】
図３は、この発明の実施の形態１によるオンライン情報伝送装置の内部構成を示す図である。
図３において、オンライン情報伝送装置３は、発電所１と通信するための発電所向け通信インタフェース回路１１（発電所向け通信インタフェース部）と、発電所１から受信した上り情報の変化を検出する上り情報処理部１２と、発電所１に下り情報を送信する下り情報処理部１３と、給電システム４と通信するための給電システム向け通信インタフェース回路１４（給電システム向け通信インタフェース部）によって構成され、上がり情報処理部１２には、前回入力された上り情報から変化があれば入り、変化がなければ切りとなるスイッチ１５が設けられている。
図４は、この発明の実施の形態１によるオンライン情報伝送装置の処理を示すフローチャートである。
【００１０】
次に、動作について説明する。
給電システム４は、オンライン情報伝送装置３を介して発電所１に下り指令値電文を定周期に送信することで、発電所１の発電機出力量を変更する。また、発電所１からの上り２値情報・数値情報の電文を定周期に受信することで、発電所１の設備スイッチの入り切り状態、発電機出力量などの数値情報の変化を監視する。
ここで、発電所１からの上り情報は、変化したもののみが、給電システム４に通知されるように、オンライン情報伝送装置３が構成されている。すなわち、発電所１からの上り情報は、発電所向け通信インタフェース回路１１に入力される。前回入力された上り情報から変化があれば入り、変化がなければ切りとなるスイッチ１５を上り情報処理部１２に設ける。このスイッチ１５の入り切りにより、変化した上り情報のみが、給電システム４に、給電システム向け通信インタフェース回路１４によって通知される。
【００１１】
次に、図４のフローチャートを用いて、２値情報及び数値情報の通知の仕方について、より詳しく説明する。
オンライン情報伝送装置は、発電所からの上り情報を受信する（ステップＳ１）と、前回受信した上り情報と内容を比較し（ステップＳ２）、変化があれば上り情報が２値情報か数値情報かを判定する（ステップＳ３）。
上り情報が２値情報であれば、情報受信漏れが許されないため、即座に給電システムに上り情報を通知する（ステップＳ４）。上り情報が数値情報であれば、一時的な情報受信漏れを割り切ることができるため、給電システムに通知した時刻を記録しておき、規定時間以上経過した時点で（ステップＳ５）、給電システムに上り情報を通知することで、給電システムの情報受信頻度を低減する。
ステップＳ２で、前回の上り情報から変化がない場合及びステップＳ５で、前回送信から規定時間以上経過していない場合は、ステップＳ１の発電所からの上り情報の受信に戻る。
【００１２】
実施の形態１によれば、発電所からの情報のうち、変化した情報のみを給電システムに通知するようにして、給電システムへの通知頻度を低減し、給電システムの情報受信処理の頻度を低減することができる。
また、数値情報については、規定時間以上経過してから通知するようにしたので、給電システムの情報受信処理の頻度をさらに低減することができる。
【００１３】
実施の形態２．
以下、この発明の実施の形態２を図に基づいて説明する。
図５は、この発明の実施の形態２によるオンライン情報伝送装置の処理を示すフローチャートである。
【００１４】
次に、動作について説明する。
オンライン情報伝送装置は、発電所からの上り情報を受信する（ステップＳ１）と、前回受信した上り情報と内容を比較し（ステップＳ２）、変化があれば上り情報が２値情報か数値情報かを判定する（ステップＳ３）。
上り情報が２値情報であれば、情報受信漏れが許されないため、即座に給電システムに上り情報を通知する（ステップＳ４）。上り情報が数値情報であれば、一時的な情報受信漏れを割り切ることができるため、変化回数を記録しておき、規定回数以上の変化があった時点で（ステップＳ６）、給電システムに上り情報を通知することで、給電システムの情報受信頻度を低減する。また、数値情報を給電システムに通知した時刻を記録しておき、変化回数に関わらず規定時間以上経過した時点で（ステップＳ５）給電システムに上り情報を通知することで、給電システムが最新の発電機出力量を把握できるようにする。
ステップＳ２で、前回の上り情報から変化がない場合及びステップＳ５で、前回送信から規定時間以上経過していない場合は、ステップＳ１の発電所からの上り情報の受信に戻る。
【００１５】
実施の形態２によれば、数値情報の通知を規定回数以上変化があった時点または規定時間以上経過してから行うようにしたので、給電システムの情報受信処理の頻度を一層低減することができる。
【００１６】
【発明の効果】
この発明は、以上説明したように構成されているので、以下に示すような効果を奏する。
発電所が接続されたネットワークを介して、発電所及び給電システム間の情報の送受信を行うよう配置されたオンライン情報伝送装置において、発電所と通信するよう構成された発電所向け通信インタフェース部、給電システムと通信するよう構成された給電システム向け通信インタフェース部、及び発電所向け通信インタフェース部により発電所から受信された上り情報の変化を検出する上り情報処理部を備え、上り情報は、発電所の設備スイッチの入り切り状態を示す２値情報及び発電所の発電機の出力量を含む数値情報を有し、２値情報は、上り情報処理部により変化が検出されたとき、給電システム向け通信インタフェース部から給電システムに送信されると共に、数値情報は、上り情報処理部によって変化が検出されてから規定時間経過後に、給電システム向け通信インタフェース部から給電システムに送信されるので、給電システムへの通知頻度を低減し、給電システムの情報受信処理の頻度を低減することができる。
【図面の簡単な説明】
【図１】この発明の実施の形態１によるオンライン情報伝送装置を示すシステム構成図である。
【図２】この発明の実施の形態１による発電所及び給電システム間の電文構成の１例を示す図である。
【図３】この発明の実施の形態１によるオンライン情報伝送装置の内部構成を示す図である。
【図４】この発明の実施の形態１によるオンライン情報伝送装置の処理を示すフローチャートである。
【図５】この発明の実施の形態２によるオンライン情報伝送装置の処理を示すフローチャートである。
【符号の説明】
１  発電所、２  ネットワーク、３  オンライン情報伝送装置、
４  給電システム、５  試験用電文を判別するフラグ、
６，７  設備の異常状態を示すフラグ、８  ２値情報・数値情報、
９  指令値情報、１１  発電所向け通信インタフェース回路、
１２  上り情報処理部、１３  下り情報処理部、
１４  給電システム向け通信インタフェース回路、１５  スイッチ。
【図１】
2004164444.tif 000003
【図２】
2004164444.tif 000004
【図３】
2004164444.tif 000005
【図４】
2004164444.tif 000006
【図５】
2004164444.tif 000007